(57)【要約】【課題】    本発明は、風の抵抗の低減化を図った防獣ネットを提供することを目的としている。【解決手段】    防獣ネットＡは、地上に立設するように地面Ｇに取り付けられた略矩形形状のネット１と、この略矩形形状のネット１の巾方向の上端１Ａは、地面Ｇより遠い側に位置し、ネット１の高さ方向の中途１Ｂでネット１の巾方向より折曲して、略矩形形状のネット１の巾方向の下端１Ｃは前記地面に傾斜して取り付けられているものである。【選択図】図１
2006087379.tif 000002
【特許請求の範囲】
【請求項１】
地上に立設するように地面に取り付けられた略矩形形状のネットと、
この略矩形形状のネットの巾方向の上端は、前記地面より遠い側に位置し、
前記ネットの高さ方向の中途で前記ネットの巾方向より折曲して、前記略矩形形状のネットの巾方向の下端は前記地面に傾斜して取り付けられている
ことを特徴とする防獣ネット。
【請求項２】
地上に立設するように地面に取り付けられた略矩形形状の第１のネットと、
上端を前記第１のネットの高さ方向の中途の前記第１のネットの巾方向に接続され、下端を前記地面に傾斜して取り付けられた略矩形形状の第２のネットと、
を備えていることを特徴とする防獣ネット。
【発明の詳細な説明】
【技術分野】
【０００１】
本発明は、防獣ネットに係り、特に、風の抵抗の低減化を図った防獣ネットに関する。
【背景技術】
【０００２】
鹿、猪、うさぎ、ネズミ等の動物が農地へ侵入するのを防ぐものとして、防獣ネットがある（例えば、特許文献１参照）。
この防獣ネットにあっては、繊維ネットが地上に垂直方向に立設され、前記繊維ネットの垂直方向上部とすべき部分を粗い網目に形成し、前記繊維ネットの垂直方向下部とすべき部分を細かい網目に形成されている。
【特許文献１】特開２００１−７８６４８号公報（図１参照）
【発明の開示】
【発明が解決しようとする課題】
【０００３】
しかしながら、上述した防獣ネットにあっては、繊維ネットが全体に亘って地上に垂直方向に立設されているため、特に、防獣ネットの網の目を細かくすると、風の抵抗をより多く受けて、防獣ネットが倒れるという問題点が生じた。
本発明は、上述した問題点を除去するようにした防獣ネットを提供するものである。
【課題を解決するための手段】
【０００４】
請求項１記載の防獣ネットは、地上に立設するように地面に取り付けられた略矩形形状のネットと、この略矩形形状のネットの巾方向の上端は、前記地面より遠い側に位置し、前記ネットの高さ方向の中途で前記ネットの巾方向より折曲して、前記略矩形形状のネットの巾方向の下端は前記地面に傾斜して取り付けられているものである。
【０００５】
また、請求項２の防獣ネットは、地上に立設するように地面に取り付けられた略矩形形状の第１のネットと、上端を前記第１のネットの高さ方向の中途の前記第１のネットの巾方向に接続され、下端を前記地面に傾斜して取り付けられた略矩形形状の第２のネットとを備えているものである。
【発明の効果】
【０００６】
請求項１記載の防獣ネットによれば、ネットの高さ方向の中途でネットの巾方向より折曲して、略矩形形状のネットの巾方向の下端は地面に傾斜して取り付けられ、従来のように略矩形形状のネットが地面に対して略垂直方向に取り付けられていないため、風の抵抗が少なく、しかも、下部のネットが立設する上部のネットに対して傾斜して取り付けられているため、下部のネットが上部のネットの補強となって防獣ネットの支持を強固なものとすることができる。
【０００７】
また、 請求項２記載の防獣ネットによれば、第２のネットが立設する第１のネットに対して傾斜して取り付けられ、従来のように略矩形形状のネットが地面に対して略垂直方向に取り付けられていないため、風の抵抗が少なく、しかも、第２のネットが立設する第１のネットに対して傾斜して取り付けられているため、第２のネットが第１のネットの補強となって防獣ネットの支持を強固なものとすることができ、また、鹿、猪等が第１のネットの下方部分を食いちぎろうと防獣ネットに近づこうとしても、第２のネットが傾斜して取り付けれているため、第２のネットが邪魔となって、鹿、猪等が第１のネットに近づくことができず、更に、第１のネットの下方部分に対して、第２のネットが立ちふさがるため、ネズミ、うさぎ等の小動物の侵入に対して二重にブロックすることができる。
【実施例】
【０００８】
本発明の一実施例の防獣ネットを図面を参照して説明する。
図１及び図２において、Ａは防獣ネットで、防獣ネットＡは、地上に、例えば、地上に立設（立設は、例えば、地面Ｇに対して略垂直方向に立設する）ように地面Ｇに取り付けられた略矩形形状のネット１を有している。
この略矩形形状のネット１の巾（Ｗ）方向の上端ＩＡは、地面Ｇより遠い側に位置し、ネット１の高さ（Ｈ）方向の中途１Ｂでネット１の巾（Ｗ）方向より折曲して、略矩形形状のネット１の巾方向の下端１Ｃは地面Ｇに傾斜して取り付けられている。
【０００９】
ネット１は、図１に示すように、略矩形形状で、例えば、繊維ネットで形成され、支柱３、４、５の先端を地面Ｇにそれぞれ埋没させて固定するようにしている。
なお、支柱３、４、５の先端を地面Ｇに埋没させる代わりに、図示しないが、他の部材（例えば、プラアンカー）を埋没させると共に前記他の部材（図示せず）と支柱３、４、５を連結するようにしても良い。
また、略矩形形状のネット１の巾方向の下端１Ｃは地面Ｇに、例えば、ネット１の巾方向の下端１Ｃに係止するフックを有する部材６を地面Ｇに埋没させて固定するようにしている。また、繊維ネットは、金網に比べて軽く、しかも、かさばらず、持ち運びに便利なことから、施工場所が、急傾斜地等に適している。
【００１０】
従って、この防獣ネットＡによれば、ネット１の高さ方向の中途でネット１の巾方向より折曲して、略矩形形状のネット１の巾方向の下端１Ｃは地面Ｇに傾斜して取り付けられ、従来のように略矩形形状のネットが地面に対して略垂直方向に取り付けられていないため、風の抵抗が少なく、しかも、下部のネット１ｂが立設する上部のネット１ａに対して傾斜して取り付けられているため、下部のネット１ｂが上部のネット１ａの補強となって防獣ネットＡの支持を強固なものとすることができる等の効果を有する。
【００１１】
次に、上述した実施例と異なる実施例の防獣ネットＡを図３及び図４を参照して説明する。
図３及び図４において、Ａは防獣ネットで、防獣ネットＡは、地上に、例えば、垂直方向に立設するように地面Ｇに取り付けられた略矩形形状の第１のネット１０と、上端２０Ａを第１のネット１０の高さ（Ｈ）方向の中途の第１のネット１０の巾（Ｗ）方向に接続され、下端２０Ｂを地面Ｇに傾斜して取り付けられた略矩形形状の第２のネット２０とを備えている。
【００１２】
第１のネット１０は、図３に示すように、略矩形形状で、例えば、繊維ネットで形成され、支柱３、４、５の先端を地面Ｇにそれぞれ埋没させて固定するようにしている。
なお、支柱３、４、５の先端を地面Ｇに埋没させる代わりに、図示しないが、他の部材（例えば、プラアンカー）を埋没させると共に前記他の部材（図示せず）と支柱３、４、５を連結するようにしても良い。
また、略矩形形状の第２のネット２０の巾方向の下端２０Ｂは地面Ｇに、例えば、第２のネット２０の巾方向の下端２０Ｂに係止するフックを有する部材６を地面Ｇに埋没させて固定するようにしている。また、繊維ネットは、金網に比べて軽く、しかも、かさばらず、持ち運びに便利なことから、施工場所が、急傾斜地等に適している。
【００１３】
従って、第２のネット２０が立設する第１のネット１０に対して傾斜して取り付けられ、従来のように略矩形形状のネットが地面に対して略垂直方向に取り付けられていないため、風の抵抗が少なく、しかも、第２のネット２０が立設する第１のネット１０に対して傾斜して取り付けられているため、第２のネット２０が第１のネット１０の補強となって防獣ネットＡの支持を強固なものとすることができ、また、鹿、猪等が第１のネット１０の下方部分を食いちぎろうと防獣ネットに近づこうとしても、第２のネット２０が傾斜して取り付けれているため、第２のネット２０が邪魔となって、鹿、猪等が第１のネット１０に近づくことができず、更に、第１のネット１０の下方部分に対して、第２のネット２０が立ちふさがるため、ネズミ、うさぎ等の小動物の侵入に対して二重にブロックすることができる等の効果を有する。
【図面の簡単な説明】
【００１４】
【図１】図１は、本発明の一実施例の防獣ネットの概略的斜視図である。
【図２】図２は、図１の防獣ネットの概略的側面図である。
【図３】図３は、図１及び図２記載の本発明の実施例と異なる他の実施例の防獣ネットの概略的斜視図である。
【図４】図４は、図３の防獣ネットの概略的側面図である。
【符号の説明】
【００１５】
Ａ      ・・・・・防獣ネット
Ｇ      ・・・・・地面
１      ・・・・・ネット
１Ａ    ・・・・・上端
１Ｂ    ・・・・・中途
１Ｃ    ・・・・・下端
【図１】
2006087379.tif 000003
【図２】
2006087379.tif 000004
【図３】
2006087379.tif 000005
【図４】
2006087379.tif 000006